(57)【要約】【課題】メドレー楽曲の楽曲毎に演奏条件の設定を可能とするリモコン装置を提供する。【解決手段】カラオケ本体と通信可能に接続されたリモコン装置であって、利用者が選曲したカラオケ楽曲がメドレー楽曲である場合、当該メドレー楽曲に含まれる楽曲毎に演奏条件を設定するための設定画面を表示部に表示させる表示制御部を有するリモコン装置。【選択図】図３
2018173551.tif 000002
【特許請求の範囲】
【請求項１】
カラオケ本体と通信可能に接続されたリモコン装置であって、
利用者が選曲したカラオケ楽曲がメドレー楽曲である場合、当該メドレー楽曲に含まれる楽曲毎に演奏条件を設定するための設定画面を表示部に表示させる表示制御部を有するリモコン装置。
【請求項２】
リモコン装置、及びカラオケ本体を含むカラオケ装置であって、
前記リモコン装置は、
利用者が選曲したカラオケ楽曲がメドレー楽曲である場合、当該メドレー楽曲に含まれる楽曲毎に演奏条件を設定するための設定画面を表示部に表示させる表示制御部と、
楽曲毎に設定された前記演奏条件を前記カラオケ本体に送信する送信処理部と、
を有し、
前記カラオケ本体は、
前記メドレー楽曲のカラオケ演奏を行う際、前記送信処理部から送信された演奏条件に応じてカラオケ演奏を行う演奏処理部を有するカラオケ装置。
【請求項３】
前記演奏処理部は、前記リモコン装置に対し、カラオケ演奏を行うメドレー楽曲の演奏条件を楽曲毎に要求し、
前記送信処理部は、前記演奏処理部からの要求に基づいて、対応する演奏条件をカラオケ本体に送信することを特徴とする請求項２記載のカラオケ装置。
【請求項４】
前記表示制御部は、前記メドレー楽曲のカラオケ演奏に合わせて、現在カラオケ演奏されている楽曲について設定された前記演奏条件を前記表示部に表示させることを特徴とする請求項２または３記載のカラオケ装置。
【発明の詳細な説明】
【技術分野】
【０００１】
本発明はリモコン装置及びカラオケ装置に関する。
【背景技術】
【０００２】
カラオケ装置は、カラオケ歌唱を行う際に演奏する様々な楽曲を記憶している。
【０００３】
各楽曲には、所定の演奏条件が予め設定されている。演奏条件には、キーやテンポの値や、ガイドメロディやガイドボーカルといったカラオケ歌唱をサポートする機能のＯＮ／ＯＦＦがある。歌唱者は、カラオケ歌唱の前、或いはカラオケ歌唱中にこれらの演奏条件を適宜選択・変更することができる。
【０００４】
また、カラオケ装置が記憶する楽曲の中には、メドレー歌唱用の楽曲（以下、「メドレー楽曲」という場合がある）も含まれる。メドレー楽曲は、複数の楽曲それぞれにおける所定の長さの演奏区間（たとえばサビ部分）を繋ぎ合わせて構成される。
【０００５】
このようなメドレー楽曲は、一般的にはカラオケ事業者によって作成されるものであり、楽曲の組み合わせは予め決められている。
【０００６】
一方、特許文献１または２には、歌唱者が選曲した楽曲や、楽曲中で指定した区間に基づいてメドレー楽曲を作成する技術が開示されている。このような技術によれば、歌唱者が歌唱したい楽曲のみで構成されたメドレー楽曲を得ることができる。
【先行技術文献】
【特許文献】
【０００７】
【特許文献１】特開平７−２９５５８１号公報
【特許文献２】特開平９−２３０８８０号公報
【発明の概要】
【発明が解決しようとする課題】
【０００８】
ここで、カラオケ事業者が作成したメドレー楽曲の歌唱を行う場合、歌唱者によっては、一部の楽曲について歌詞を知らなかったり、キー設定が高すぎて歌えないということがありうる。或いは、特許文献１等の技術により作成されたメドレー楽曲の歌唱を行う場合であっても、歌い慣れていない楽曲等については、同様の問題が生じる可能性がある。
【０００９】
一方、従来のメドレー楽曲の演奏条件は、メドレー楽曲全体に対してしか設定することができない。すなわち、メドレー楽曲に含まれる一部の楽曲についてのみ演奏条件を設定することはできなかった。
【００１０】
本発明の目的は、メドレー楽曲の楽曲毎に演奏条件の設定を可能とするリモコン装置及びカラオケ装置を提供することにある。
【課題を解決するための手段】
【００１１】
上記目的を達成するための一の発明は、カラオケ本体と通信可能に接続されたリモコン装置であって、利用者が選曲したカラオケ楽曲がメドレー楽曲である場合、当該メドレー楽曲に含まれる楽曲毎に演奏条件を設定するための設定画面を表示部に表示させる表示制御部を有するリモコン装置である。
【発明の効果】
【００１２】
本発明によれば、メドレー楽曲の楽曲毎に演奏条件の設定ができる。
【図面の簡単な説明】
【００１３】
【図１】実施形態に係るカラオケ装置の概略を示す図である。
【図２】実施形態に係るリモコン装置のハードウェア構成例を示す図である。
【図３】実施形態に係るリモコン装置のソフトウェア構成例を示す図である。
【図４Ａ】実施形態に係るリモコン装置の表示画面を示す図である。
【図４Ｂ】実施形態に係るリモコン装置の表示画面を示す図である。
【図５】実施形態に係る演奏条件のテーブルデータ例を示す図である。
【図６】実施形態に係るカラオケ本体のハードウェア構成例を示す図である。
【図７】実施形態に係るカラオケ本体のソフトウェア構成例を示す図である。
【図８】実施形態に係るカラオケ装置の処理を示すフローチャートである。
【発明を実施するための形態】
【００１４】
後述する明細書及び図面の記載から、上記の主たる発明の他、少なくとも以下の事項が明らかとなる。
【００１５】
すなわち、リモコン装置、及びカラオケ本体を含むカラオケ装置であって、前記リモコン装置は、利用者が選曲したカラオケ楽曲がメドレー楽曲である場合、当該メドレー楽曲に含まれる楽曲毎に演奏条件を設定するための設定画面を表示部に表示させる表示制御部と、楽曲毎に設定された前記演奏条件を前記カラオケ本体に送信する送信処理部と、を有し、前記カラオケ本体は、前記メドレー楽曲のカラオケ演奏を行う際、前記送信処理部から送信された演奏条件に応じてカラオケ演奏を行う演奏処理部を有するカラオケ装置が明らかとなる。このようなカラオケ装置によれば、メドレー楽曲の楽曲毎に演奏条件の設定をし、設定された演奏条件に応じてメドレー楽曲に含まれる各楽曲のカラオケ演奏が可能となる。
【００１６】
また、前記演奏処理部が、前記リモコン装置に対し、カラオケ演奏を行うメドレー楽曲の演奏条件を楽曲毎に要求し、前記送信処理部が、前記演奏処理部からの要求に基づいて、対応する演奏条件をカラオケ本体に送信するカラオケ装置が明らかとなる。このようなカラオケ装置によれば、カラオケ本体側で演奏条件の送信要求を行うことができる。
【００１７】
また、前記表示制御部が、前記メドレー楽曲のカラオケ演奏に合わせて、現在カラオケ演奏されている楽曲について設定された演奏条件を前記表示部に表示させるカラオケ装置が明らかとなる。このようなカラオケ装置によれば、現在カラオケ演奏されている楽曲の演奏条件を把握できる。
【００１８】
＜実施形態＞
図１〜図８を参照して、実施形態に係るカラオケ装置１について説明する。
【００１９】
＝＝カラオケ装置＝＝
カラオケ装置１は、カラオケ楽曲の演奏、及び利用者がカラオケ歌唱を行うための装置である。図１に示すように、本実施形態に係るカラオケ装置１は、一のカラオケ本体１０及びリモコン装置ＲＣを含む。
【００２０】
リモコン装置ＲＣは、カラオケ本体１０と通信可能に接続されている。リモコン装置ＲＣは、カラオケ本体１０に対する各種操作をおこなうための装置である。リモコン装置の表示画面には各種操作の指示入力を行うためのアイコン等が表示される。リモコン装置ＲＣは、複数あってもよいし、利用者が所有する携帯端末で同様の機能を実現することでもよい。たとえば、予めダウンロードされた専用アプリケーションソフトウェアを携帯端末で実行することにより、当該携帯端末をリモコン装置として使用することができる。
【００２１】
カラオケ本体１０は、選曲されたカラオケ楽曲の演奏制御、歌詞や背景映像等の表示制御といった、カラオケ歌唱に関する各種の制御を行う。
【００２２】
カラオケ本体１０にはスピーカ２０、表示装置３０、マイク４０が接続されている。スピーカ２０はカラオケ本体１０からの放音信号に基づいて放音するための構成である。表示装置３０はカラオケ本体１０からの信号に基づいて映像や画像を画面に表示するための構成である。マイク４０は利用者の音声をカラオケ本体１０に入力するための構成である。
【００２３】
＝＝リモコン装置＝＝
［ハードウェア構成］
図２はリモコン装置のハードウェア構成例を示す図である。リモコン装置ＲＣは、記憶部１００、通信部１０１、表示部１０２、操作部１０３及び制御部１０４を備える。
【００２４】
記憶部１００は、各種のデータを記憶する大容量の記憶装置である。記憶部１００は、楽曲を選曲する際に使用する目次リストや、各楽曲に対して予め設定されている演奏条件等を記憶している。
【００２５】
目次リストは、たとえば、楽曲ＩＤ、楽曲名、楽曲のジャンル（ロック、ポップス、メドレー楽曲等）、歌手名等を含む。目次リストに含まれる各楽曲は、カラオケ本体１０に記憶されている楽曲データ（後述）に相当する楽曲と共通している。すなわち、目次リストは、カラオケ本体１０に記憶されている楽曲をリスト化したものである。
【００２６】
演奏条件は、たとえば、キー（♭／標準／♯）やテンポ（−／標準／＋）のような演奏されるメロディに関する条件、コーラス、自動合成ハーモニー、自動合成ユニゾンのＯＮ／ＯＦＦや音質変換（男→女、女→男などのモード選択）のような歌唱音声を変更する条件、ガイドボーカルやガイドメロディ―（なし／弱／標準／強）、歌詞テロップの色変えやガイドのルビ（あり／なし）のような歌唱をサポートする機能の条件、その他カラオケ演奏に関する様々な機能の条件（採点、楽譜表示、録音のＯＮ／ＯＦＦ等）である。
【００２７】
予め設定されている演奏条件は、カラオケ楽曲によって異なっていてもよい。たとえば、ガイドボーカル機能は、ガイドボーカルデータを有するカラオケ楽曲のみ設定されている。また、本実施形態において、メドレー楽曲の演奏条件は、メドレー楽曲に含まれる楽曲毎に予め設定されている。
【００２８】
通信部１０１は、リモコン装置ＲＣとカラオケ本体１０とを接続するためのインターフェースを提供する。表示部１０２はカラオケ楽曲の検索画面等、各種表示を行うための構成である。操作部１０３は、リモコン装置ＲＣに対して各種入力を行うための構成である。操作部１０３は、リモコン装置ＲＣのハードウェア上に設けられるボタン等であってもよいし、表示部１０２に表示されるアイコンであってもよい。操作部１０３を介して行われた指示入力は、指示コマンドとして通信部１０１を介してカラオケ本体１０に送信される。制御部１０４は、リモコン装置ＲＣにおける各種の制御を行う。制御部１０４は、ＣＰＵおよびメモリ（いずれも図示無し）を備える。ＣＰＵは、メモリに記憶されたプログラムを実行することにより各種の機能を実現する。
【００２９】
［ソフトウェア構成］
図３は本実施形態に係るリモコン装置ＲＣのソフトウェア構成を示す図である。リモコン装置ＲＣは、楽曲検索部１０４ａ、表示制御部１０４ｂ、及び送信処理部１０４ｃを備える。楽曲検索部１０４ａ、表示制御部１０４ｂ、及び送信処理部１０４ｃは、制御部１０４のＣＰＵがメモリに記憶されるプログラムを実行することにより実現される。
【００３０】
（楽曲検索部）
楽曲検索部１０４ａは、利用者からの指示入力に基づいて、カラオケ楽曲の検索を行う。
【００３１】
利用者は、表示部１０２に表示される検索画面において、自己が歌唱を行いたいカラオケ楽曲の曲名やタイトル等を入力する。楽曲検索部１０４ａは、当該指示入力に応じて該当する楽曲を目次リストから検索する。楽曲検索部１０４ａは、検索結果を表示制御部１０４ｂに出力する。
【００３２】
（表示制御部）
表示制御部１０４ｂは、リモコン装置ＲＣにおける各種表示制御を行う。表示制御部１０４ｂは、たとえば上述の検索画面や、楽曲検索部１０４ａによる検索結果を表示させる（図４Ａ参照）。図４Ａの例において、表示制御部１０４ｂは検索結果として楽曲ＩＤ及び楽曲名を表示させている。また、表示制御部１０４ｂは、「演奏条件設定」アイコン及び「予約」アイコンを表示させる。
【００３３】
ここで、本実施形態に係る表示制御部１０４ｂは、利用者が選曲したカラオケ楽曲がメドレー楽曲である場合、当該メドレー楽曲に含まれる楽曲毎に演奏条件を設定するための設定画面を表示部に表示させることができる。
【００３４】
図４Ａの表示画面において、利用者が「演奏条件設定」アイコンを選択したとする。この場合、表示制御部１０４ｂは、演奏条件の設定画面を表示させる。
【００３５】
たとえば、選曲された楽曲がメドレー楽曲Ａであった場合、表示制御部１０４ｂは、メドレー楽曲Ａに含まれる楽曲毎に演奏条件を設定できるような設定画面を表示部１０２に表示させる（図４Ｂ参照）。図４Ｂは、「設定画面」の一例である。
【００３６】
選曲されたメドレー楽曲Ａが５曲の楽曲からなる場合、表示制御部１０４ｂは、メドレー楽曲Ａに含まれる楽曲の数に応じたタブ（図４Ｂにおける「１」〜「５」）を表示させる。また、表示制御部１０４ｂは、記憶部１００からメドレー楽曲Ａの楽曲毎に予め設定されている演奏条件を読み出し、各タブにおいて当該演奏条件を表示させる。
【００３７】
利用者は、各タブを選択することで演奏条件の設定を行いたい楽曲を選択することができる。また、利用者は、各タブに含まれる個別の演奏条件を選択することで、演奏条件の入力が可能となる。たとえば、「ガイドボーカル」の演奏条件に関する設定が「ＯＮ／ＯＦＦ」の２種類からなるとする。この場合、利用者が「ガイドボーカル」の欄を選択する毎に、表示制御部１０４ｂは「ＯＮ」と「ＯＦＦ」の表示を切り替えて表示させる。
【００３８】
演奏条件を設定したい楽曲に対して入力が完了した後、利用者が「決定」アイコン（図４Ｂ参照）を選択すると、メドレー楽曲Ａに対して新たな演奏条件が決定される。新たな演奏条件は、たとえば、図５に示すテーブルデータの形式で楽曲毎に設定されている。表示制御部１０４ｂは、新たに設定された演奏条件（たとえば図５のテーブルデータ）を送信処理部１０４ｃに出力する。なお、表示制御部１０４ｂは、新たに設定された演奏条件を記憶部１００に一時的に記憶させることも可能である。また、演奏条件の設定は、利用者が希望する楽曲のみに対して行ってもよく、メドレー楽曲に含まれる楽曲全ての演奏条件を設定する必要はない。新たな演奏条件が設定されなかった楽曲については、予め設定されている演奏条件をそのまま用いることができる。
【００３９】
なお、上記例では、選曲された楽曲がメドレー楽曲の例について述べた。一方、表示制御部１０４ｂは、選曲された楽曲が通常の楽曲（一の楽曲）であった場合には、当該楽曲に対して演奏条件を設定できるような設定画面を表示部１０２に表示させることも可能である。
【００４０】
（送信処理部）
送信処理部１０４ｃは、楽曲毎に設定された演奏条件をカラオケ本体１０に送信する。
【００４１】
たとえば、楽曲毎に演奏条件を設定した後、利用者が図４Ａに示した「予約」アイコンを選択したとする。この場合、送信処理部１０４ｃは、選曲されたメドレー楽曲Ａの楽曲ＩＤを新たに設定された演奏条件と関連付け、通信部１０１を介してカラオケ本体１０に送信する。
【００４２】
＝＝カラオケ本体＝＝
［ハードウェア構成］
図６に示すように、カラオケ本体１０は、制御部１１、通信部１２、記憶部１３、音響処理部１４、表示処理部１５、及び操作部１６を備える。各構成はインターフェース（図示なし）を介してバスＢに接続されている。
【００４３】
（制御部）
制御部１１は、カラオケ本体１０の各種処理を制御する。制御部１１は、ＣＰＵおよびメモリ（いずれも図示なし）を備える。ＣＰＵは、メモリに記憶された動作プログラムを実行することにより各種の制御機能を実現する。
【００４４】
（通信部）
通信部１２は、ルータ（図示なし）を介してカラオケ本体１０を各リモコン装置と接続するためのインターフェースを提供する。
【００４５】
（記憶部）
記憶部１３は、各種のデータを記憶する大容量の記憶装置であり、たとえばハードディスクドライブなどである。記憶部１３は、カラオケ楽曲を演奏するための楽曲データ、歌詞テロップデータ、及び背景画像データ等を記憶する。
【００４６】
ここで、メドレー楽曲の楽曲データは、メドレー楽曲を構成する各楽曲に相当する演奏区間データ、及び各演奏区間の開始位置を示す演奏マークデータを組んで構成される。カラオケ本体１０は、演奏マークデータを参照することにより、メドレー楽曲に含まれる各楽曲の区切りを把握することができる。
【００４７】
また、記憶部１３は、演奏条件に関する情報（たとえば、ガイドボーカル用の音声データ）を記憶している。
【００４８】
（音響処理部）
音響処理部１４は、制御部１１の制御に基づき、カラオケ楽曲に対する演奏の制御およびマイク４０を通じて入力された歌唱音声信号の処理を行う。
【００４９】
（表示処理部）
表示処理部１５は、制御部１１の制御に基づき、表示装置３０における各種表示に関する処理を行う。
【００５０】
（操作部）
操作部１６は、パネルスイッチおよびリモコン受信回路などからなり、利用者によるカラオケ本体１０のパネルスイッチあるいはリモコン装置ＲＣの操作に応じて選曲信号、演奏中止信号などの操作信号を制御部１１に対して出力する。制御部１１は、操作部１６からの操作信号を検出し、対応する処理を実行する。
【００５１】
［カラオケ本体のソフトウェア構成］
図７はカラオケ本体１０のソフトウェア構成例を示す図である。カラオケ本体１０は、演奏処理部１１ａを備える。演奏処理部１１ａは、制御部１１のＣＰＵがメモリに記憶されるプログラムを実行することにより実現される。
【００５２】
（演奏処理部）
演奏処理部１１ａは、カラオケ演奏に関する各種制御を行う。演奏処理部１１ａは、リモコン装置ＲＣで選曲されたカラオケ楽曲を予約の待ち行列に登録し、順次、対応する楽曲データを記憶部１３から読み出し、カラオケ演奏を行う。
【００５３】
また、演奏処理部１１ａは、カラオケ楽曲に予め設定されている演奏条件に基づいてカラオケ演奏を行う。たとえば、ガイドボーカルが「ＯＮ」になっている場合、演奏処理部１１ａは、ガイドボーカル用の音声データを記憶部１３から読み出し、カラオケ演奏と併せて当該音声データをスピーカ２０から放音させる。
【００５４】
ここで、本実施形態に係る演奏処理部１１ａは、メドレー楽曲のカラオケ演奏を行う際、送信処理部１０４ｃから送信された演奏条件に応じてカラオケ演奏を行う。
【００５５】
具体例として、リモコン装置ＲＣで選曲されたメドレー楽曲Ａの楽曲ＩＤ及び図５に示す演奏条件（新たに設定された演奏条件）がカラオケ本体１０に送信されたとする。この場合、演奏処理部１１ａは、メドレー楽曲Ａを予約の待ち行列に登録する。
【００５６】
予約順になった場合、演奏処理部１１ａは、演奏開始前に、まずメドレー楽曲Ａに含まれる１曲目の演奏区間を示す演奏マークを判別する。そして、演奏処理部１１ａは、１曲目の楽曲に対して新たに設定された演奏条件（キー設定：標準、テンポ設定：標準、ガイドメロディ：ＯＦＦ、ガイドボーカル：ＯＦＦ、ハモリ：ＯＮ、コーラス：ＯＦＦ）になるよう、カラオケ本体１０の設定を行う。そして、演奏処理部１１ａは、メドレー楽曲Ａのカラオケ演奏を開始する。
【００５７】
演奏処理部１１ａは、カラオケ演奏の進行に伴って、次の楽曲（２曲目）の演奏区間を示す演奏マークを判別する。この場合、演奏処理部１１ａは、２曲目の楽曲に対して新たに設定された演奏条件になるよう、カラオケ本体１０の設定を行う。図５の例によれば、演奏処理部１１ａは、キー設定の値を「標準」から「−２」に変更し、ハモリを「ＯＦＦ」に変更し、コーラスを「ＯＮ」に変更する。演奏処理部１１ａは、それ以外の演奏条件については、１曲目と同様であるため経項を行わない。その後、演奏処理部１１ａは、メドレー楽曲Ａに含まれる２曲目のカラオケ演奏を開始する。
【００５８】
同様に、演奏処理部１１ａは、カラオケ演奏の進行に伴って３曲目〜５曲目の演奏マークを判別した場合、それぞれの楽曲について新たに設定された演奏条件になるよう、カラオケ本体１０の設定を順次切り替える。
【００５９】
＝＝カラオケシステムにおける処理について＝＝
次に、図８を参照して本実施形態に係るカラオケ装置１における処理について述べる。図８は、カラオケ装置１における処理例を示すフローチャートである。
【００６０】
楽曲検索部１０４ａは、利用者からの指示入力に基づいて、メドレー楽曲Ａを検索する（メドレー楽曲の検索。ステップ１０）。
【００６１】
メドレー楽曲Ａについて楽曲毎に演奏条件を設定する場合、利用者は、たとえば、図４Ａに示す「演奏条件設定」アイコンを選択する。表示制御部１０４ｂは、利用者の選択に応じて、たとえば、図４Ｂに示す演奏条件の設定画面を表示させる（演奏条件の設定画面を表示。ステップ１１）。
【００６２】
利用者はメドレー楽曲Ａの楽曲毎に、所望の演奏条件を入力する。表示制御部１０４ｂは、利用者の入力に応じてメドレー楽曲Ａの楽曲毎に新たな演奏条件を設定する（新たな演奏条件を設定。ステップ１２）。
【００６３】
送信処理部１０４ｃは、ステップ１２で設定された演奏条件をメドレー楽曲の楽曲ＩＤと併せてカラオケ本体１０に送信する（楽曲ＩＤ及び演奏条件の送信。ステップ１３）。
【００６４】
演奏処理部１１ａは、ステップ１３で送信された楽曲ＩＤに基づいてメドレー楽曲Ａの演奏予約を行う（カラオケ演奏の予約。ステップ１４）。
【００６５】
メドレー楽曲Ａの予約順になった場合、演奏処理部１１ａは、ステップ１３で送信された演奏条件に基づいて、楽曲毎に演奏条件を設定しながらカラオケ演奏を行う（楽曲毎に演奏条件を設定して演奏。ステップ１５）。
【００６６】
このように、本実施形態に係るリモコン装置ＲＣは、利用者が選曲したカラオケ楽曲がメドレー楽曲である場合、当該メドレー楽曲に含まれる楽曲毎に演奏条件を設定するための設定画面を表示部１０２に表示させることができる。従って、利用者は、設定画面において、楽曲毎に所望の演奏条件を設定することができる。すなわち、本実施形態に係るリモコン装置ＲＣによれば、メドレー楽曲の楽曲毎に演奏条件の設定ができる。
【００６７】
更に、本実施形態に係るリモコン装置ＲＣは、楽曲毎に設定された演奏条件をカラオケ本体１０に送信する。そして、本実施形態に係るカラオケ本体１０は、メドレー楽曲のカラオケ演奏を行う際、リモコン装置ＲＣから送信された演奏条件に応じてカラオケ演奏を行うことができる。このようなリモコン装置ＲＣ及びカラオケ本体１０を含むカラオケ装置１によれば、メドレー楽曲の楽曲毎に演奏条件の設定をし、設定された演奏条件に応じてメドレー楽曲に含まれる各楽曲のカラオケ演奏が可能となる。
【００６８】
＜その他＞
なお、上記実施形態では、事業者等により予め作成されたメドレー楽曲を選曲した場合の例について述べたが、特許文献１や２の技術を利用して作成されたメドレー楽曲に対しても上記と同様の方法により、演奏条件を設定することが可能である。
【００６９】
また、上記実施形態では、新たに設定された演奏条件に付いて、送信処理部１０４ｃが楽曲ＩＤと併せて一括で送信する例について述べたが、カラオケ本体１０への演奏条件の送信はこの例に限られない。送信処理部１０４ｃは、メドレー楽曲の演奏に併せ、楽曲毎に設定された演奏条件を順次送信することも可能である。
【００７０】
この場合、演奏処理部１１ａは、リモコン装置ＲＣに対し、カラオケ演奏を行っているメドレー楽曲の演奏条件を楽曲毎に要求する。たとえば、上述の通り、演奏処理部１１ａは、メドレー楽曲の演奏に際して、楽曲の区切りを示す演奏マークを判別する。この場合、演奏処理部１１ａは、リモコン装置ＲＣに対し、判別した演奏マークに対応する楽曲について新たに設定された演奏条件のみを送信するよう要求する。
【００７１】
送信処理部１０４ｃは、演奏処理部１１ａからの要求に基づいて、対応する演奏条件のみを記憶部１００から読み出し、カラオケ本体１０に送信することができる。
【００７２】
このようなカラオケ装置１によれば、カラオケ本体１０側で演奏条件の送信要求を行うことができる。
【００７３】
また、表示制御部１０４ｂは、メドレー楽曲のカラオケ演奏に合わせて、現在カラオケ演奏されている楽曲について設定された演奏条件を表示部１０２に表示させることも可能である。
【００７４】
たとえば、上述の通り、演奏処理部１１ａは、メドレー楽曲の演奏に際して、楽曲の区切りを示す演奏マークを判別する。この場合、演奏処理部１１ａは、リモコン装置ＲＣに対し、当該楽曲の演奏マークを判別した旨の信号を送信する。表示制御部１０４ｂは、当該信号に基づいて、当該楽曲について設定された演奏条件を表示部１０２に表示させる。この場合、利用者は現在演奏されている楽曲の演奏条件を視覚的に把握することができる。
【００７５】
具体例として、上記実施形態においてメドレー楽曲Ａの２曲目が演奏されている場合、表示制御部１０４ｂは、図４Ｂに示すように２曲目に設定されている演奏条件を表示部１０２に表示させる。なお、表示の態様は図４Ｂの例に限られない。
【００７６】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７７】
１  カラオケ装置
１０  カラオケ本体
１１ａ  演奏処理部
１０４ａ  楽曲検索部
１０４ｂ  表示制御部
１０４ｃ  送信処理部
ＲＣ  リモコン装置
【図１】
2018173551.tif 000003
【図２】
2018173551.tif 000004
【図３】
2018173551.tif 000005
【図４Ａ】
2018173551.tif 000006
【図４Ｂ】
2018173551.tif 000007
【図５】
2018173551.tif 000008
【図６】
2018173551.tif 000009
【図７】
2018173551.tif 000010
【図８】
2018173551.tif 000011